(57)【要約】【課題】送受信されたメールのうちユーザにとって重要と思われるメールを特定し、それらメールを視認性に優れた方法で一覧表示する、利便性の高い携帯端末を提供する。【解決手段】携帯端末１００は、送信または受信した電子メールの集合である電子メールリスト１６０、ならびに、電子メールの所定の条件と表示色とを対応付けた表示色設定テーブル１７０を記憶するメモリ１５０を含む。また携帯端末１００は、表示色設定テーブル１７０に基づき、送信または受信した電子メールの表示色を決定する表示色制御部１４０と、送信または受信した電子メールを一覧表示する際、決定された表示色で表示する表示部１１０とを含む。表示色設定テーブル１７０は、電子メールが表示部１１０に一覧表示される際にいかなる色で表示するかを設定したデータである。【選択図】図１
2008242537.tif 000002
【特許請求の範囲】
【請求項１】
送信または受信した電子メール、ならびに、電子メールの所定の条件と表示色とを対応付けた表示色設定テーブルを記憶する記憶部と、
前記表示色設定テーブルに基づき、前記送信または受信した電子メールの表示色を決定する表示色制御部と、
前記送信または受信した電子メールを一覧表示する際、前記決定された表示色で表示する表示部とを含むことを特徴とする携帯端末。
【請求項２】
前記所定の条件は、所定のグループのメンバとして登録されている送信先電子メールアドレスまたは受信元電子メールアドレスを有することであることを特徴とする請求項１に記載の携帯端末。
【請求項３】
前記所定の条件は、所定のキーワードを件名または本文中に有することであることを特徴とする請求項１に記載の携帯端末。
【請求項４】
被写界の撮像を行うカメラと、
前記カメラによって撮像された画像信号から被写界の明るさを測定する測光部と、
前記測定された明るさと表示色とを対応付けた表示色設定テーブルを記憶する記憶部と、
前記表示色設定テーブルに基づき、送信または受信した電子メールの表示色を決定する表示色制御部と、
前記送信または受信した電子メールを一覧表示する際、前記決定された表示色で表示する表示部とを含むことを特徴とする携帯端末。
【請求項５】
ユーザからの入力を受け付ける入力部をさらに含み、
前記表示部は、前記表示色設定テーブルを表示可能であり、
前記表示色制御部は、前記入力部から入力された内容に応じて、前記表示色設定テーブルを変更可能であることを特徴とする請求項１から４までのいずれかに記載の携帯端末。
【請求項６】
前記表示部は、電子メールごとの表示色を個別に表示可能であり、
前記表示色制御部は、前記入力部から入力された内容に応じて、前記表示色設定テーブルに関係なく、電子メールごとの表示色を個別に変更可能であることを特徴とする請求項５に記載の携帯端末。
【請求項７】
前記表示色は、文字の色、文字の背景の色、文字の濃度、またはそれらの任意の組み合わせを含むことを特徴とする請求項１から６までのいずれかに記載の携帯端末。
【発明の詳細な説明】
【技術分野】
【０００１】
本発明は、電子メールの送受信を行う携帯端末に関するものである。
【背景技術】
【０００２】
従来、例えば特許文献１のように、携帯電話機に届く大量の電子メール（以下本文では、単に「メール」と表記する場合も電子メールを意味する）を重要度に応じて分類するため、各メールに含まれているキーワードの数に応じてメールを色分け表示する、メールの重要度表示方法および表示装置が開示されている。
【０００３】
特許文献１によると、メール内のキーワードの数が１であれば黒色、２〜３であれば緑色、４〜５であれば黄色、６以上でれば赤色、のように、メールを色分けして一覧表示し、キーワードを数多く含む重要なメールであるか否かを一目瞭然に判断可能にしている。
【特許文献１】特開２００２−３６６４９１号公報
【発明の開示】
【発明が解決しようとする課題】
【０００４】
しかし、メールを送受信する装置として携帯端末に特化して考察すると、携帯端末で送受信されるメールは、コンピュータで送受信されるものと比較して、総じて文章が短い。これは、メモリ容量の関係上、コンピュータ同士でやり取りされるような長文を携帯端末同士ではやり取りできないことや、入力部の使い勝手がコンピュータより劣ること等の理由による。
【０００５】
したがって、特許文献１のような、キーワードに応じてメールの重要度を差別化して色分け表示する技術は、有用であるものの、主として短い文章のやり取りに使用される携帯端末においては、その機能を十分に生かせるとはいい難い。とりわけ携帯端末同士では、同一のキーワードが大量に含まれているメールがやり取りされることが比較的少ないと考えられ、メールの重要度の差別化が図りにくいと考えられるからである。
【０００６】
一方、携帯端末によってやり取りされる大量のメールに関して解決すべき問題は、家族や知人からのメールと、いわゆる迷惑メール（スパムメール）との差別化である。すなわち、誰から来たメールであるかを、相手に応じて視認性よく、一目瞭然に識別できれば、携帯端末にてやり取りされるメールの処理にとって非常に有用である。
【０００７】
他方、家族や知人でない者から送られてきたメールであっても、例えば新規の仕事の依頼など、無視できない内容のものがあり得る。携帯端末に見知らぬ相手から仕事の電子メールが直接到来することは考えにくいものの、コンピュータで受けた電子メールを自己の携帯端末に転送してメモがわりに持ち歩くということも考えられる。
【０００８】
本発明はこのような課題に鑑み、送受信されたメールが一覧表示される携帯端末において、ユーザにとって重要と思われるメールを特定し、それらメールを視認性に優れた方法で一覧表示する、利便性の高い携帯端末を提供することを目的とする。
【課題を解決するための手段】
【０００９】
本発明による携帯端末のある構成によれば、上述の課題を解決するために、送信または受信した電子メール、ならびに、電子メールの所定の条件と表示色とを対応付けた表示色設定テーブルを記憶する記憶部と、表示色設定テーブルに基づき、送信または受信した電子メールの表示色を決定する表示色制御部と、送信または受信した電子メールを一覧表示する際、決定された表示色で表示する表示部とを含むことを特徴とする。
【００１０】
上記の所定の条件は、所定のグループのメンバとして登録されている送信先電子メールアドレスまたは受信元電子メールアドレスを有することとしてよい。
【００１１】
これによって、家族や同僚など、所定のグループのメンバから到来する重要な電子メールを視認性よく確認できる。
【００１２】
上記の所定の条件は、所定のキーワードを件名または本文中に有することとしてよい。
【００１３】
これによって、あるキーワードが１つでも含まれていれば、その電子メールを重要視し、差別化して視認性よく表示可能である。比較的短い文章がやり取りされる携帯端末の電子メールの差別化においては、実用的な効果が得られる。また、所定のグループのメンバでない者からの電子メールであっても、重要な用件の電子メールに含まれていることの多いキーワードを登録しておけば、迷惑電子メールに惑わされることなく、重要な用件の電子メールだけを一目瞭然に効率的に抽出することができる。
【００１４】
本発明による携帯端末の他の構成によれば、被写界の撮像を行うカメラと、カメラによって撮像された画像信号から被写界の明るさを測定する測光部と、測定された明るさと表示色とを対応付けた表示色設定テーブルを記憶する記憶部と、表示色設定テーブルに基づき、送信または受信した電子メールの表示色を決定する表示色制御部と、送信または受信した電子メールを一覧表示する際、決定された表示色で表示する表示部とを含むことを特徴とする。
【００１５】
上述したように、本発明は、電子メールをその重要度に応じて色分け表示するものであるため、それを応用し、明るい光源下では、電子メールが見えやすいように、赤などの濃い色で表示するなどの機能を実現できる。
【００１６】
本発明による携帯端末は、ユーザからの入力を受け付ける入力部をさらに含み、表示部は、表示色設定テーブルを表示可能であり、表示色制御部は、入力部から入力された内容に応じて、表示色設定テーブルを変更可能としてよい。
【００１７】
ユーザにとって重要なグループが変化したり、重要な用件に含まれるキーワードが変化することがあるため、ユーザは、このように、いつでも、自由に、表示色設定テーブルを編集可能としたものである。
【００１８】
上述の表示部は、電子メールごとの表示色を個別に表示可能であり、表示色制御部は、入力部から入力された内容に応じて、表示色設定テーブルに関係なく、電子メールごとの表示色を個別に変更可能としてよい。
【００１９】
これは、たとえ所定のグループに属さない相手から到来した電子メールであったり、登録したキーワードを含まない電子メールであったりしても、ユーザ自身が重要と判定する電子メールがあり得るからである。本発明によれば、そのような電子メールにマーキングすることにより、ユーザにとって一目瞭然なものとしておくことが可能である。
【００２０】
上述の表示色は、文字の色、文字の背景の色、文字の濃度、またはそれらの任意の組み合わせを含めてよい。なお、濃度は、重要でない電子メールを低い濃度で薄く表示することによって、相対的に重要な電子メールを目立たせる方法である。
【発明の効果】
【００２１】
本発明によれば、電子メールの送受信先や内容などに応じて、ユーザにとって重要と思われる電子メールが視認性よく一目瞭然に表示される。したがって、大量の電子メールのうち、重要なものとそうでないものとの差別化が容易に可能となる。
【００２２】
また、これにより、重要でない電子メールの削除作業が効率化されるとともに、重要な電子メールを誤って削除してしまう危険性も減少する。
【発明を実施するための最良の形態】
【００２３】
次に添付図面を参照して本発明による携帯端末の実施形態を詳細に説明する。図中、本発明に直接関係のない要素は図示を省略する。また、同様の要素は同一の参照符号によって表示する。
【００２４】
図１は、本発明による携帯端末のすべての実施形態に共通の構成を示すブロック図である。携帯端末１００は、送信または受信した電子メールの集合である電子メールリスト１６０、ならびに、電子メールの所定の条件と表示色とを対応付けた表示色設定テーブル１７０を記憶する記憶部として、メモリ１５０を含む。また携帯端末１００は、表示色設定テーブル１７０に基づき、送信または受信した電子メールの表示色を決定する表示色制御部１４０と、送信または受信した電子メールを一覧表示する際、決定された表示色で表示する表示部１１０とを含む。
【００２５】
なお表示色制御部１４０は、携帯端末１００全体を制御する端末制御部１３０に含まれている。
【００２６】
電子メールリスト１６０は、少なくとも、個々の電子メールの送受信日時、相手方電子メールアドレス、件名、本文を含む。メールアドレスの所有者である相手方の氏名や名称も、電子メールリスト１６０に追加可能である。
【００２７】
なお、本文ではすべて受信メールについて適用した実施形態を説明するが、送信待ちメールまたは送信ずみメールなど、電子メールリスト１６０として保存中のあらゆる電子メールについて本発明の実施形態は適用可能である。
【００２８】
表示色設定テーブル１７０は、電子メールが表示部１１０に一覧表示される際にいかなる色で表示するかを設定したデータである。具体的には、電子メールが、例えば家族や同僚などの、所定のグループのメンバとして登録されている送信先電子メールアドレスまたは受信元電子メールアドレスを有するという条件を満たす場合、その条件に対応した表示色が設定されている。
【００２９】
（第１の実施形態）
図２は図１の携帯端末の外観図である。図２に示すように、携帯端末１００は、受信した電子メールを一覧表示する際、決定された表示色で表示する表示部１１０と、ユーザからの入力を受け付ける入力部の例であるキー入力部１２０とを含む。
【００３０】
図３は図２の表示部１１０の部分拡大図である。本実施形態では、家族（鈴木）からのメールは赤、同僚（佐藤）からのメールは緑、それ以外の者（田中）からのメールは青で文字色を表示するという規則が、表示色設定テーブル１７０に設定されている。
【００３１】
これによって、家族や同僚など、所定のグループのメンバから到来する重要な電子メールを視認性よく確認できる。
【００３２】
図４はメール表示色の確認・変更のための画面が表示部１１０に表示された状態を示す図である。キー入力部１２０の操作により、このような画面を表示部１１０に表示することができ、次に、いずれかの数字を選択することで、メールの表示色を確認・変更可能である。
【００３３】
図５は図４において番号１「メールアドレス登録」を選んだときに表示部１１０に表示される画面の例（ａ）〜（ｃ）を示す図である。例えば図５（ａ）のようにメール表示色を設定してよい。この場合、家族である鈴木のメールアドレス「suzuki@●●.com」を登録し、グループ名「家族」、文字色を「赤」、背景色を「なし」と設定している。なお、表示部１１０にはパレット１１２を示し、ここから直接に色を選択して文字色や背景色を感覚的に設定してよい。無論、色の設定も「赤」などの文字を使って行ってもよい。図５（ａ）のようにメール表示色を設定した場合のメール一覧表を示したのが図３である。
【００３４】
（第２の実施形態）
図６は図５（ｂ）のメール表示色設定をしたときに表示部１１０に表示されるメール一覧表を示す携帯端末の外観図であり、図７は図６の表示部１１０の部分拡大図である。図５（ｂ）ではすべてのグループの文字色をデフォルトの「黒」、家族である鈴木からのメールの背景色を「赤」、同僚である佐藤からのメールの背景色を「緑」、それ以外の者である田中からのメールの背景色を「青」と設定している。
【００３５】
このように文字色でなく背景色を設定することによっても、家族や同僚など、所定のグループのメンバから到来する重要な電子メールを視認性よく確認できる。
【００３６】
（第３の実施形態）
図８は図５（ｃ）のメール表示色設定をしたときに表示部１１０に表示されるメール一覧表を示す図である。ここで図５（ｃ）は、図４において番号１「メールアドレス登録」を選んだときに表示部１１０に表示される画面の１つの例であるが、図５（ａ）（ｂ）と異なり、背景色の設定がなく、文字色と文字色の濃度の設定のみを可能としている画面である。
【００３７】
図５（ｃ）によれば、文字色はすべてデフォルトの「黒」であるが、家族からのメールを最も重視して文字色の濃度を「高」に設定し、それに続いて同僚からのメールの文字色の濃度を「中」、その他の者からのメールの文字色の濃度を「低」としている。その結果表示されるメール一覧表が図８である。本実施形態の特徴は、重用でないメールの表示色の濃度を低くして目立たせなくすることで、重要なメールを相対的に目立たせる点である。
【００３８】
以上の第１〜第３の実施形態では、メールアドレスを登録の対象としているが、それ以外の相手方を特定する情報を登録の対象としてもよい。例えば相手方の電話番号を登録しておき、電話の発信履歴または着信履歴にも上述の第１〜第３の実施形態を利用してよいことはいうまでもない。
【００３９】
また、上記のグループ、およびそのグループに属するメールアドレスは、ユーザ自らが事前に設定するものであるが、このほか、携帯端末の音声通話および／またはデータ通信（電子メール）の累計数の多寡に基づき、電子メールの重要度を自動的に決定してもよい。すなわち、通話・通信の履歴に基づき、累計数の多い相手方からの電子メールは、重要度の高いものとみなし、自動的に、所定の色で表示する方法も考えられる。
【００４０】
その場合、ユーザは、最も通信・通話の累計数が多い相手３人に対し、それぞれ所定の色を設定しておき、それらの相手からの電子メールを、設定した色で表示することとしてよい。累計数が逆転することがあれば、表示色も自動的に交換されることとなる。
【００４１】
ただし、自動的に重要度を決定する場合、いわゆるストーカーからのメールや広告メールの重要度が高くなってしまうおそれがあるため、特定の相手からのメールの頻度が高くなっても、その相手からのメールの重要度を高くしないように設定する機能を設けるとよい。
【００４２】
さらに、携帯端末のアドレス帳に登録された項目数の多寡に基づき、電子メールの重要度を決定してもよい。例えばアドレス帳に、メールアドレスだけでなく、電話番号や住所などの項目も記録されている相手方から到来したメールは、重要度が高いとみなし、所定の表示色を自動的に与えるという規則を採用してもよい。
【００４３】
（第４の実施形態）
図９は図４において番号２「キーワード登録」を選んだときに表示部１１０に表示される画面の例を示す図である。この画面で設定される条件も、表示色設定テーブル１７０に保持される。
【００４４】
本実施形態における所定の条件とは、電子メールが所定のキーワードを件名または本文中に有することである。具体的には、図９に示すように、例えば電子メールが「ｔｅｓｔ」というキーワードを件名または本文中に含むという条件を満たした場合、そのメールを文字色「赤」、背景色「緑」で表示するという規則を設定してよい。
【００４５】
図１０は図９のメール表示色設定をしたときに表示部１１０に表示されるメール一覧表を示す図である。図９の設定どおりに佐藤からのメールが表示されている。
【００４６】
このように、あるキーワードが電子メールに１つでも含まれていれば、その電子メールを重要視し、差別化して視認性よく表示可能である。これにより、比較的短い文章がやり取りされる携帯端末の電子メールでも差別化できるという効果が得られる。また、所定のグループのメンバでない者からの電子メールであっても、重要な用件の電子メールに含まれていることの多いキーワードを登録しておけば、迷惑メールに惑わされることなく、重要な用件の電子メールだけを一目瞭然に効率的に抽出することができる。
【００４７】
なお、図１０では、図４において番号１「メールアドレス登録」を選び、図５（ａ）の設定を行った場合の表示色設定も、同時に有効になっていて、佐藤以外の者からのメールは、その設定に従って表示されている。ただし佐藤からのメールだけは、図５（ａ）でなく、図９の設定を優先している。このように、複数の条件を同時に満たすメールが存在するときは、いずれの条件を優先するかを定めておいてよい。本実施形態では、上述のように、「メールアドレス登録」による条件より、「キーワード登録」による条件を優先してメールを表示している。
【００４８】
本実施形態では事前にキーワードを登録しておくが、受信メールから最も多く抽出されるキーワードを、ユーザにとって重要なキーワードと自動的にみなし、そのキーワードを含むメールを、所定の表示色で表示するという規則を設けてもよい。
【００４９】
以上の第１〜第４の実施形態では、図５で説明したように、表示部１１０に表示色設定テーブルを表示可能であり、表示色制御部１４０は、キー入力部１２０から入力された内容に応じて、表示色設定テーブルを変更可能である。
【００５０】
したがって、ユーザは、ユーザにとって重要なグループが変化したり、重要な用件が変化してキーワードが変更されたりした場合に、いつでも自由に、表示色設定テーブルを編集可能である。
【００５１】
（第５の実施形態）
図１１は図４において番号３「明るさ登録」を選んだときに表示部１１０に表示される画面の例を示す図である。この画面で設定される条件も、表示色設定テーブル１７０に保持される。
【００５２】
本実施形態は、携帯端末１００が使用される場所（屋外、屋内等）の明るさ（照度）と文字色の濃度とを対応させ、場所の明るさに応じて文字色の濃度を変更するものである。このように、電子メールの属性を条件としない点が本実施形態の特徴である。したがって、本実施形態は、電子メールの表示に限らず、表示部１１０に表示されるあらゆる情報について適用してよい。
【００５３】
本実施形態によって表示される文字色の表示濃度については図示を省略するが、図１１に示すように、本実施形態では、外界の明るさを「明」「中」「暗」の３段階に分けている。そして、それぞれの明るさに応じて、すべての文字が、表示濃度「高」「中」「低」で表示される。これらの表示濃度は、図１１に示すように、固定しておくのがよい。直射日光下のように、「明」に該当する場所で表示濃度を仮に「低」にすれば、ますます文字が読みにくくなり、視認性が低下するだけだからである。
【００５４】
また、外界の明るさに応じて、文字の色を変えてもよく、外界の明るさ「明」のときには赤などのコントラストが明確な色を使用し、外界の明るさ「暗」のときには、パステルカラーを用いるとよい。
【００５５】
以下、外界の明るさを取得する構成について図１を用いて説明する。携帯端末１００は、被写界（外界）の撮像を行うカメラの例であるＣＣＤ（Charge Coupled Device）カメラ１８０と、ＣＣＤカメラ１８０によって撮像された画像信号を、Ａ／Ｄコンバータ１９０でデジタル化した後に記憶する画像メモリ２１０と、画像メモリ２１０に記憶された画像信号から被写界の明るさを測定する測光部２２０とを有する。
【００５６】
なおＣＣＤカメラ１８０は、図２に示すように、表示部１１０の近傍に設けるとよい。表示部１１０の筐体の裏側に設ける場合、ユーザの指等で被覆されて被写界からの光を取り込めなくなることに配慮したものである。
【００５７】
なお画像メモリ２１０は、画像信号に対して各種の信号処理を行う画像信号処理部２００に含まれていて、測光部２２０は端末制御部１３０に含まれている。
【００５８】
上記の測光に用いられる画像信号は、ＣＣＤカメラ１８０の撮像モードにおける、ＣＣＤ全体から読み出される画像信号ではなく、撮像モード以外のときに、ＣＣＤのうち測光用の画素として指定されている一部の画素から読み出される画像信号でよい。撮像モードのとき以外に、ＣＣＤ全体から画像信号を読み出して信号処理するのは、負荷がかかって無駄だからである。
【００５９】
メモリ１５０内の表示色設定テーブル１７０には、本実施形態の場合、測定された明るさに対応する表示色が設定されている。すなわち、測光部２２０によって測定された明るさは、表示色制御部１４０によって、任意の照度スレショルド（単位：ルクス）を用いて図１１に示した「明」「中」「暗」の３段階に分類され、分類された結果に応じて、表示色制御部１４０は、表示色設定テーブル１７０に基づき、送信または受信した電子メールの表示色を決定する。
【００６０】
なお測光部２２０は、元来、携帯端末１００に付属のＣＣＤカメラ１８０の絞り調節機構２３０を調節するためのものであり、これを本実施形態に応用したものである。ただし、ＣＣＤカメラ１８０の絞り調節機構２３０とは関係なく、独立した測光センサを設けてもよい。本実施形態によれば、直射日光下（明）や夜間（暗）など、表示部１１０の文字が読みにくくなる環境下においても、その環境に応じた見やすい色や濃度で文字が表示され、ユーザの視認性を助けることができる。
【００６１】
（第６の実施形態）
図１２は図４において番号４「個別色設定」を選んだときに表示部１１０に表示される画面の遷移の様子を例示する図である。図１２（ａ）〜（ｄ）に示す一連の画面で設定される条件も、表示色設定テーブル１７０に保持される。本実施形態は、事前に登録してあった条件は満たさないものの、事後的にユーザが重要と判断したメールの表示色を個別に変更することを目的とする。
【００６２】
図４において番号４「個別色設定」を選択すると、まず図１２（ａ）に示すように、表示部１１０にはメール一覧表が表示され、個別に表示色を設定したいいずれかのメールを自由に選択可能となる。
【００６３】
本実施形態では、図１２（ａ）に示すように、田中からのメールを選択している。すると、図１２（ｂ）に示すように、電子メールごとの表示色を個別に表示可能な表示部１１０は、田中からのメールに設定されている表示色、すなわち文字色「青」、背景色「なし」を表示する。
【００６４】
表示色制御部１４０は、キー入力部１２０から入力された内容に応じて、表示色設定テーブル１７０に関係なく、電子メールごとに個別に表示色を変更可能である。本実施形態では、図１２（ｃ）に示すように、田中からのメールのみについて表示色を変更し、文字色「赤」、背景色「黄」を設定している。これを確定すると、図１２（ｄ）に示すように、再び表示部１１０にはメール一覧表が表示され、田中からのメールの表示色が、個別変更に従って変更されていることが分かる。
【００６５】
本実施形態は、たとえ所定のグループに属さない相手から到来した電子メールであったり、登録したキーワードを含まない電子メールであったりしても、ユーザ自身が重要と判定する電子メールにマーキングしておきたい場合に有用である。本実施形態により、かかるメールをユーザにとって一目瞭然なものとしておくことが可能だからである。
【００６６】
以上の第１〜第６の実施形態について説明してきたように、表示色には、文字の色、文字の背景の色、文字の濃度、またはそれらの任意の組み合わせを含めてよい。
【００６７】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６８】
例えば、上記の実施形態では、理解を容易にするため、電子メールを挙げて説明しているが、通常の通話の発着信履歴やＷｅｂのお気に入りリスト等に本実施形態を適用することも可能である。
【産業上の利用可能性】
【００６９】
本発明は、電子メールの送受信を行う携帯端末に適用可能である。
【図面の簡単な説明】
【００７０】
【図１】本発明による携帯端末のすべての実施形態に共通の構成を示すブロック図である。
【図２】図１の携帯端末の外観図である。
【図３】図２の表示部の部分拡大図である。
【図４】メール表示色の確認・変更のための画面が図２の表示部に表示された状態を示す図である。
【図５】図４において番号１「メールアドレス登録」を選んだときに表示部に表示される画面の例（ａ）〜（ｃ）を示す図である。
【図６】図５（ｂ）のメール表示色設定をしたときに表示部に表示されるメール一覧表を示す携帯端末の外観図である。
【図７】図６の表示部の部分拡大図である。
【図８】図５（ｃ）のメール表示色設定をしたときに表示部に表示されるメール一覧表を示す図である。
【図９】図４において番号２「キーワード登録」を選んだときに表示部に表示される画面の例を示す図である。
【図１０】図９のメール表示色設定をしたときに表示部に表示されるメール一覧表を示す図である。
【図１１】図４において番号３「明るさ登録」を選んだときに表示部に表示される画面の例を示す図である。
【図１２】図４において番号４「個別色設定」を選んだときに表示部に表示される画面の遷移の様子を例示する図である。
【符号の説明】
【００７１】
１００  携帯端末
１１０  表示部
１２０  キー入力部
１４０  表示色制御部
１６０  電子メールリスト
１７０  表示色設定テーブル
１８０  ＣＣＤカメラ
【図１】
2008242537.tif 000003
【図２】
2008242537.tif 000004
【図３】
2008242537.tif 000005
【図４】
2008242537.tif 000006
【図５】
2008242537.tif 000007
【図６】
2008242537.tif 000008
【図７】
2008242537.tif 000009
【図８】
2008242537.tif 000010
【図９】
2008242537.tif 000011
【図１０】
2008242537.tif 000012
【図１１】
2008242537.tif 000013
【図１２】
2008242537.tif 000014